(57)【要約】本発明は、パターヘッドがそれぞれ、互いに垂直であり、ヘッドがボール打撃位置にある場合、地面に垂直であるボール打撃および側面を有する（４および７）パターヘッド（１）およびシャフト（３）を有するゴルフ・パター（１００）を提供する。側面はボール打撃面の外端部（６）から後方に延長するので、それはクラブの側面に面するプレーヤに面する。シャフトは、ヘッドから上方へ延長し、側面の平面を含む平面を通過してプレーヤの方へ向かう。ヘッドは、ボール打撃位置にあり、上から平面図で見られる場合、本質的に直角三角形の形状が好ましい。パターヘッドは、ボール打撃面を支えている第１のプレート状部材（１３）、および、側面を支えている第２のプレート状部材（１４）で形成される可能性がある。ガセット（１６）は、部材（１３および１４）の間で提供され、固定される可能性がある。【選択図】図１
2008500088.tif 000002
【特許請求の範囲】
【請求項１】
パターヘッド、シャフトおよび前記シャフト上のグリップを有しているゴルフ・パターであって、（ａ）前記ゴルフ・パターヘッドが、先端部およびその外端部の間で延長している平らなボール打撃面、および、前記打撃面から後方に延長している平らな側面を有し；（ｂ）前記ボール打撃面および前記側面が、互いに直角であり、前記パターヘッドが、前記パターヘッドのボール打撃位置にある場合、両方とも本質的に垂直である第１および第２の平面にそれぞれ存在し；（ｃ）前記第２の平面が、本質的に前記ボール打撃面の前記外端部から後方に延長し；および（ｄ）前記パターヘッドが前記ボール打撃位置にある場合、前記シャフトは、前記側面より上の位置の前記第２の平面を通じて上方および横に延長するゴルフ・パター。
【請求項２】
請求項１に記載のゴルフ・パターであって、その前記パターヘッドは、前記ボール打撃位置にある場合、本質的に平面図に示すように直角三角形の形状であるゴルフ・パター。
【請求項３】
請求項１または２に記載のゴルフ・パターであって、前記ボール打撃位置にある場合、その前記パターヘッドは本質的に、前記第１および第２の平面、および、垂直であり、角度Ａで前記第１の平面と交差し、Ｘ  ｓｉｎ  Ａの前記第１および第２の平面の交差線から最小距離を有する第３の垂直の平面で境を接する空間の範囲内で完全に存在し、ここで、ｘ = １．１５×前記ボール打撃面の前記外端部および先端部間の距離；ｙ = １．１５×前記側面の長さ；およびＡ =ｔａｎ−１（Ｙ／Ｘ）であるゴルフ・パター。
【請求項４】
請求項１から３のいずれか１つに記載のゴルフ・パターであって、前記側面は、ゴルフのルールの適用可能なルールによれば本質的にパターヘッドのために最大許容される長さである前記ボール打撃面に対して垂直方向に長さを有するゴルフ・パター。
【請求項５】
請求項１から４のいずれか１つに記載のゴルフ・パターであって、前記側面が、前記ボール打撃面の前記外端部および前記先端部の間の前記幅の少なくとも６０％である前記ボール打撃面に対して垂直な方向の長さを有するゴルフ・パター。
【請求項６】
請求項１から４のいずれか１つに記載のゴルフ・パターであって、前記側面が、前記ボール打撃面の前記外端部および前記先端部の間の前記幅の少なくとも８０％である前記ボール打撃面に対して垂直な方向の長さを有するゴルフ・パター。
【請求項７】
請求項１から４のいずれか１つに記載のゴルフ・パターであって、前記側面が、おおよそ前記ボール打撃面の外端部および先端部間の前記距離である前記ボール打撃面に対して垂直な方向の長さを有するゴルフ・パター。
【請求項８】
請求項１から４のいずれか１つに記載のゴルフ・パターであって、前記側面が、前記ボール打撃面の外端部および先端部間の前記距離と等しい前記ボール打撃面に対して垂直な方向の長さを有するゴルフ・パター。
【請求項９】
請求項１から８のいずれか１つに記載のゴルフ・パターであって、前記ボール打撃面は、プレートのような第１部材の前方面であり、前記側面は、前記第１の部材に固定されるプレートのような第２部材の外側の表面であるゴルフ・パター。
【請求項１０】
請求項９に記載のゴルフ・パターであって、前記パターヘッドが、前記第１部材の裏面および前記第２部材の内側の表面にそれぞれ固定される第１および第２の端を有するガセットを含むゴルフ・パター。
【請求項１１】
請求項１０に記載のゴルフ・パターであって、前記ガセットは、一般に直角三角形の形であるゴルフ・パター。
【請求項１２】
請求項１０または１１に記載のゴルフ・パターであって、前記ガセットは、本質的に前記第２部材の後端および／または本質的に前記パターヘッドの前記第１の部材の前記先端部に延長するゴルフ・パター。
【請求項１３】
請求項１０から１２のいずれか１つに記載のゴルフ・パターであって、前記シャフトの下端が前記ホーゼルにおいて受容される前記パターヘッドの前記ガセットの上部表面に固定されるホーゼルをさらに含むゴルフ・パター。
【請求項１４】
請求項１０から１３のいずれか１つに記載のゴルフ・パターであって、おもりは、前記パターヘッドの前記ガセットの上部または下部面に固定されるゴルフ・パター。
【請求項１５】
請求項９に記載のゴルフ・パターであって、製造において、前記パターヘッドの前記第１および第２の部材は、プレートまたはシート材料から形成され、互いに固定されるゴルフ・パター。
【請求項１６】
請求項１５に記載のゴルフ・パターであって、製造において、前記第１および第２の部材および前記ガセットは、プレートまたはシート材料から形成され、互いに固定されるゴルフ・パター。
【請求項１７】
請求項１から１４のいずれか１つに記載のゴルフ・パターであって、例えば、プレス加工または続く機械加工による任意の鋳造によって、または固体からの機械加工によって一体的に形成されるゴルフ・パター。
【請求項１８】
請求項１から１７のいずれか１つに記載のゴルフ・パターであって、前記パターヘッドは、前記ボール打撃面および前記側面の前記平面に対して直角である上方に面した本質的に平らな表面を有するゴルフ・パター。
【請求項１９】
請求項１８に記載のゴルフ・パターであって、前記シャフト前記ホーゼルにおいて受容される。前記上方へ面した表面に固定されるホーゼルをさらに含むゴルフ・パター。
【請求項２０】
請求項１から１９のいずれか１つに記載のゴルフ・パターであって、前記パターヘッドの上方へ面した表面に、前記パターヘッドのスイートスポットを示すために配置される少なくとも１つの刻印を有するゴルフ・パター。
【請求項２１】
請求項１から２０のいずれか１つに記載のゴルフ・パターであって、前記パターヘッドの上方へ面した表面に、前記ボール打撃面に対して垂直な方向を示すために配置される少なくとも１つの刻印を有するゴルフ・パター。
【請求項２２】
その先端部および外端部の間で延長している平らなボール打撃面、および、前記打撃面から後方に延長している平らな側面を有するゴルフ・パターヘッドであって、そこにおいて、（ａ）前記ボール打撃面を含む第１の概念上の平面、および、直角および前記パターヘッドのボール打撃位置で交差する前記側面を含む第２の概念上の平面は、両方とも、本質的に垂直であり、および（ｂ）前記第２の平面は、本質的に前記ボール打撃面の前記外端部から後方に延長するゴルフ・パターヘッド。
【請求項２３】
請求項２２に記載のゴルフ・パターヘッドであって、前記側面が、本質的にゴルフのルールにおける適用可能なルールによるパターヘッドの最大許容される長さである前記ボール打撃面に対して垂直な方向の長さを有するゴルフ・パターヘッド。
【請求項２４】
請求項２２に記載のゴルフ・パターヘッドであって、前記側面が、前記ボール打撃面の前記外端部および前記先端部間の幅の少なくとも６０％、より好ましくは８０％、なお好ましくは１００％である前記ボール打撃面に対して垂直な方向の長さを有するゴルフ・パターヘッド。
【請求項２５】
請求項２２から２４のいずれか１つに記載のゴルフ・パターヘッドであって、前記ボール打撃位置にある場合、平面図において、前記ボール打撃および側面が２つの側面を形成する少なくともおおよそ直角三角形である形状を有するゴルフ・パターヘッド。
【請求項２６】
請求項２２から２５のいずれか１つに記載のゴルフ・パターヘッドであって、前記ボール打撃位置において、前記パターヘッドが本質的に、前記第１および第２の概念上の平面、および、垂直であり、角度Ａで前記第１の概念上の平面と交差し、前記第１および第２の概念上の平面の交差線からの最小距離が、Ｘ＊ｓｉｎ  Ａである第３の概念上の平面により境を接した空間の範囲内で完全に存在し、ここで：ｘ＝ Ｋ＊前記ボール打撃面の前記外端部および先端部間の前記距離；ｙ＝ Ｋ＊前記側面の前記長さ；Ａ = ｔａｎ‐１（Ｙ／Ｘ）；および、Ｋ＝約１．２０および好ましくは約１．１５であるゴルフ・パターヘッド。
【請求項２７】
請求項２２から２６のいずれか１つに記載のゴルフ・パターヘッドであって、前記ボール打撃面が、プレートのような第１部材の前方面であり、前記側面は、前記第１の部材に固定されるプレートのような第２部材の外側の表面であるゴルフ・パターヘッド。
【請求項２８】
請求項２７に記載のゴルフ・パターヘッドであって、前記第１部材の裏面および前記第２部材の内側の表面にそれぞれ固定される第１および第２の端を有するガセットをさらに含むゴルフ・パターヘッド。
【請求項２９】
請求項２８に記載のゴルフ・パターヘッドであって、前記ガセットは、一般に直角三角形の形であるゴルフ・パターヘッド。
【請求項３０】
請求項２９に記載のゴルフ・パターヘッドであって、前記ガセットは、本質的に前記第２部材の後端および／または前記第１の部材の前記先端部に本質的に延長するゴルフ・パターヘッド。
【請求項３１】
請求項２８から３０のいずれか１つに記載のゴルフ・パターヘッドであって、前記ガセットの上部表面に固定されるホーゼルをさらに含むゴルフ・パターヘッド。
【請求項３２】
請求項２８から３１のいずれか１つに記載のゴルフ・パターヘッドであって、前記ガセットの前記上または下の表面に固定されるおもりを有するゴルフ・パターヘッド。
【請求項３３】
請求項２７に記載のゴルフ・パターヘッドであって、第１および第２の部材のうちの少なくとも１つが、プレートまたはシート材料から形成され、前記第１および第２の部材のもう一方に固定するゴルフ・パターヘッド。
【請求項３４】
請求項３３に記載のゴルフ・パターヘッドであって、前記第１および第２の部材が、溶着または蝋付けによって、またはねじ付き固定具の使用によって互いに固定されるゴルフ・パターヘッド。
【請求項３５】
請求項２８に記載のゴルフ・パターヘッドであって、前記ガセットは、シート材料から形成され、前記第１および第２の部材に固定されるゴルフ・パターヘッド。
【請求項３６】
請求項２２から３０のいずれか１つに記載のゴルフ・パターヘッドであって、プレス加工または任意に続く機械加工で鋳造することによって、または適切な材料の固体の半加工品からの機械加工によって一体的に形成されるゴルフ・パターヘッド。
【請求項３７】
請求項２２から３０のいずれか１つに記載のゴルフ・パターヘッドであって、前記ボール打撃面および前記側面の前記平面に、直角である上方へ面した平らな表面を有するゴルフ・パターヘッド。
【請求項３８】
請求項３７に記載のゴルフ・パターヘッドであって、ホーゼルは、前記上方へ面した表面に固定されるゴルフ・パターヘッド。
【請求項３９】
請求項３７に記載のゴルフ・パターヘッドであって、前記上方へ面した表面上に、前記パターヘッドの「スイートスポット」を示すために配置される少なくとも１つの刻印（好ましくは溝、浮彫り線、球状の外形等）を有するゴルフ・パターヘッド。
【請求項４０】
請求項３７に記載のゴルフ・パターヘッドであって、前記上方へ面した表面上に、前記ボール打撃面に垂直な方向を示すために配置される少なくとも１つの刻印（好ましくは溝、浮彫り線、球状の外形等）を有するゴルフ・パターヘッド。
【請求項４１】
特定のプレーヤのためにカスタマイズされたゴルフ・パターを提供するため方法であって、請求項２８から３０のいずれか１つに記載のゴルフ・パターヘッドの提供、前記プレーヤに適したことが明らかな位置におけるホーゼルの前記ガセットの上部表面への固定、および、前記ホーゼルにおけるグリップでのシャフトの固定からなるステップを含む方法。
【請求項４２】
特定のプレーヤのためにカスタマイズされたゴルフ・パターを提供するため方法であって、請求項２８から３０のいずれか１つに記載のゴルフ・パターヘッドの提供、および、前記プレーヤに適したことが明らかな位置における前記ガセットの上または下の表面へのおもりの固定からなるステップを含む方法。
【発明の詳細な説明】
【技術分野】
【０００１】
本発明は、ゴルフの試合ための改善されたパターヘッド、および、このようなヘッドを組み込むパタータイプのクラブに関連がある。
【背景技術】
【０００２】
ゴルフは、最も普及しているゲームまたはスポーツのうちの１つになり、アマチュアおよびプロの両方によりプレーされる。ゲームはまた、かなりの体力を必要とし、それだけでなく、かなりの技術、調整および手の安定も必要とする。これらの最後の３つは、特にパッティングとして知られる試合の部分のために必要とされる。
プレーヤがパットを構成する（すなわち、ボールおよびボールの所望の位置と関連してそれ自身を配置させる）のを助け、パッティング工程の間、望ましい特性を有するパターの設計および開発に、多大な労力が費やされてきた。パターおよび特にパターヘッドの設計において追求された特性のいくつかは、以下からなる：
●（例えば照準を定める際の補助の供給による）照準を定めることの容易さ；
●（例えば、特定の質量分配を提供することによる）ボールを打つ瞬間の回転または揺れる傾向への抵抗；
●質量、質量分配、軸配向およびカスタマイズ可能性の調整可能性；
●改善されたボールの図面；
●ボールを打つ場合における不整列への減少した感度；
●製造の容易さ；および、一般に、
●使用における改善された「感触」。
【０００３】
本願明細書において開示されるのは、これらの問題のほとんどまたはすべてを対象にする発明の概念である。本発明のパターヘッドおよびこのようなヘッドを組み込んでいるパターは、プレーの特性、カスタマイズ可能性、および製造の容易さの望ましい組合せを提供し、既存のパターおよびヘッドの有用な代替物をプレーヤに提供することができると考えられる。
【発明の開示】
【０００４】
発明は、パターヘッド、シャフトおよびシャフト上のグリップを有する一態様におけるゴルフ・パターを提供する。ここにおいて：（ａ） ゴルフ・パターヘッドは、その先端部および末端部の間で延長している平らなボール打撃面を有し、平らな側面は、 打撃面から後方に延長し；（ｂ） ボール打撃面および側面が、互いに対して垂直であり、パターヘッドがパターヘッドのボール打撃位置にある場合、両方が本質的に垂直である第１および第２の平面にそれぞれ存在し；（ｃ） 第２の平面は、本質的にボール打撃面の末端部から、後方に延長し；（ｄ）パターヘッドが前記ボール打撃位置にある場合、シャフトは、側面より上の位置で第２の平面を通じて上方および側面に延長する。
【０００５】
発明のパターがよく機能すると考えられる理由のいかなる理論も進めることなく、ボール打撃面に対して直角の側面は、パットを正確に定める（すなわち、打撃される場合、ボールの方向を設定する）および、バックスウィングおよび続く前方へのスウィングの正確な実行を補助するように見える。
平面図に示されるように、パターヘッドはその前記ボール打撃位置が本質的に直角三角形の形状である場合が好まれる。すなわち、観察者が、地面表面のちょうど上で、パターヘッドをそのボール打撃位置において、下方へそのパターヘッドを見る場合、本質的に三角形の形状のヘッドを見る。これは、さらにボール打撃面の外端部の方へ「スイートスポット」が配置されるのを可能にして、適切な質量分配を提供することができ、これは都合が良いと考えられる。
【０００６】
好ましくは、その前記ボール打撃位置にある場合のパターヘッドは、第１および第２の平面、および、垂直であり、角度Ａで第１の平面と交差し、Ｘ  ｓｉｎ  Ａの第１および第２の平面の交差する線から最小限の距離を有する第３の垂直の平面によって境を接した空間の中に本質的に存在する。ここで、Ｘ＝１．１５×ボール打撃面の外端部および先端部の間の距離；Ｙ＝１．１５×側面の前記長さ；およびＡ＝ｔａｎ−１（Ｙ／Ｘ）である。
“ｔａｎ−１（Ｙ／Ｘ）”はここで、角度のタンジェントが（Ｙ／Ｘ）である、すなわち（Ｙ／Ｘ）のアークタンジェントであることを意味する。
一般に、ゴルフのルールの適用可能なルールに従うパターヘッドのための本質的に最大許容される長さであるボール打撃面に対して垂直方向の長さを側面が有することは、好ましい。
【０００７】
好ましくは、ボール打撃面の外端部および先端部間の幅の少なくとも６０％であるボール打撃面に対する垂直方向の長さを側面が有する。
より好ましくは、ボール打撃面の外端部および先端部間の幅の少なくとも８０％であるボール打撃面に対する垂直方向の長さを側面が有する。
最も好ましくは、前記距離を上回らずに、おおよそボール打撃面の外端部および先端部間の距離であるボール打撃面に対する垂直方向の長さを側面が有する。側面は、ボール打撃面の外端部および先端部間の距離に実際に等しいボール打撃面に対して垂直な方向の長さを有してもよい。
ボール打撃面は、外端部から先端部までの幅が少なくとも６インチ（１５２．４ｍｍ）、好ましくは、少なくとも７インチ（１７７．８ｍｍ）、および、より好ましくは少なくとも７.２５インチ（１８４．１ｍｍ）である可能性がある。
【０００８】
一実施例において、ボール打撃面はプレートのような第１部材の前方面であり、側面は第１部材に固着するプレートのような第２部材の外側の表面である。
パターヘッドは、それぞれが第１部材の裏面および第２部材の内側の表面に固着する第１および第２の端を有しているガセットをさらに含む可能性がある。
ガセットは一般に直角三角形の形である可能性がある。ガセットは、第２部材の後端、および／または、本質的にパターヘッドの第１の部材の先端部に本質的に延長する可能性がある。
【０００９】
都合よく、パターヘッドはホーゼルを含んでもよく、ホーゼルは、ホーゼルにおいて受容されるシャフトの下端であるパターヘッドのガセットの上部表面に固着する。
おもりは、クラブのバランスを変えるため、パターヘッドのガセットの上または下の表面に対して固定されている可能性がある。
製造において、パターヘッドの第１および第２の部材は、プレートまたはシート材料から形成され、互いに固着する可能性がある。ガセットがある製品の製造において、第１および第２の部材およびガセットは、プレートまたはシート材料から形成され、互いに固着する可能性がある。
【００１０】
代替的に、パターヘッドは、例えば、プレス加工または任意に続く機械加工での鋳造によって、または、固体からの機械加工によって、一体的に形成される可能性がある。
パターヘッドは、ヘッドがボール打撃位置にある場合、ボール打撃面および側面の平面に直角である、すなわち、地面に平行である上方に面する本質的に平らな表面を有する可能性がある。パターは、シャフトがホーゼルにおいて受容される上方へ面した表面に固定されたホーゼルをさらに含む可能性がある。
パターヘッドのスイートスポットを示すために配置される少なくとも１つのマークが、パターヘッドの上方へ面した表面に提供されてもよい。
ボール打撃面に垂直な方向を示すために配置される少なくとも１つのマークが、パターヘッドの上方へ面した表面に提供されてもよい。
【００１１】
本発明の別の態様においては、先端部およびその外端部間で延長している平らなボール打撃面；および、打撃面から後方に延長している平らな側面を有するゴルフ・パターヘッドが提供され、そこにおいて、
（ａ）ボール打撃面を含む第１の概念上の平面、および、直角およびパターヘッドのボール打撃位置において交差する側面を含む第２の概念上の平面は、両方とも本質的に垂直である、
および（ｂ）前記第２の平面は、本質的にボール打撃面の外端部から後方に延長する。
一般に、側面は可能な限り長いのが望ましい。したがって、好適な実施例において、側面は、本質的にゴルフのルールにおける適用可能なルールに従うパターヘッドの最大許容可能な長さであるボール打撃面に対して垂直な方向の長さを有する。
しかしながら、それがより小さい長さを有する場合、本発明はまた、効果を提供すると考えられる。好ましくは、側面は、少なくとも６０％、より好ましくは８０％、さらに好ましくは１００％のボール打撃面の外端部および先端部間の幅のボール打撃面に対して垂直方向に長さを有する。
【００１２】
ゴルフ・パターヘッドが、平面図で示される場合、ボールが当たり、側面が２つの側部を形成する少なくともおおよそ直角三角形である形状を有することは、好ましい。より詳しくは、好適な実施例において、パターヘッドの前記ボール打撃位置で、前記パターヘッドが、前記第１および第２の概念上の平面、および、Ａの角度で第１の概念上の平面と交差する垂直である第３の概念上の平面、によって境を接した空間の範囲内で本質的に完全に存在し、第１および第２の概念上の平面の交差線からの最小の距離は、Ｘ＊ｓｉｎ  Ａである。ここで：Ｘ= Ｋ＊ボール打撃面の外端部および先端端部間の距離；ｙ＝Ｋ＊側面の前記長さ；Ａ= ｔａｎ‐１（Ｙ／Ｘ）；Ｋ＝約１．２０および好ましくは約１．１５である。
【００１３】
ボール打撃面はプレートのような第１部材の前方の面であり、側面は第１部材に固定されたプレートのような第２部材の外側の表面であることが、特に好ましい。この場合、ゴルフ・パターヘッドは、第１部材の裏面および第２部材の内側の表面にそれぞれ固定された第１および第２の端を有するガセットをさらに含む可能性がある。好ましくは、ガセットは一般に直角三角形の形である。ガセットは、本質的に第２部材の後端、および／または、本質的に第１の部材の先端部に延長する可能性がある。ガセット（その厚みを含む）の大きさの選択は、ヘッドのおもり、および、おもりの分配に影響を及ぼす可能性があり、したがって、プレーヤにその「感触」に影響を及ぼすように用いることができる。
前記ガセットを有するゴルフ・パターヘッドは、前記ガセットの上部表面に固定されたホーゼル（すなわち、シャフトの接続のための取付け）を都合よくさらに含む可能性がある。重要なことに、ガセット上のホーゼルの位置の選択の範囲は可能であるので、ヘッドを組み込んでいるクラブはこの点で容易に個別的なプレーヤのためにカスタマイズすることができる。
【００１４】
さらに、おもりは前記ガセットの上または下の表面に固定されてもよい。おもりの範囲のいずれかおよびガセット上の選ばれたおもりの位置の範囲のいずれかを選ぶ可能性は、ヘッド、およびそれを組み込んでいるクラブを特定のプレーヤのためにカスタマイズするなおさらなる余地を提供する。
さらなる態様において、本発明は、本願明細書において開示されたように、ゴルフ・パターヘッドを提供し、プレーヤに適するような位置においてゴルフ・パターヘッドの前記ガセットの上部表面にホーゼルを固定し、前記ホーゼルへのグリップを有するシャフトを固定するステップを含む特定のプレーヤのためにカスタマイズされたゴルフ・パターを提供する方法を提供する。
【００１５】
なおさらなる態様において、本発明は、本願明細書において開示されるように、ゴルフ・パターヘッドを提供し、プレーヤに適するような位置においておもりを前記ガセットの上または下の表面に固定するステップを含む特定のプレーヤのためにカスタマイズされたゴルフ・パターを提供する方法を提供する。
製造において、前記第１および／または前記第２の部材は、都合よくプレートまたはシート材料から形成され、互いに固定される可能性がある。これは、例えば、溶着または蝋付けによって、またはボルトのようなファスナの使用を含むいかなる適切な方法においてでも実行される可能性がある。
【００１６】
前記ガセットが含まれる場合には、製造において、前記ガセットもまた、プレートまたはシート材料から形成され、前記第１および第２の部材に固定される可能性がある。
代替的に、上記の実施例のいずれかのゴルフ・パターヘッドは、例えば、プレス加工または続く機械加工による任意の鋳造、または適切な材料の固体の半加工品から機械加工することによって一体的に形成される可能性がある。
前記ガセットを有することによって、ゴルフ・パターヘッドは、前記ボール打撃面および前記側面の平面に直角にある上方に面した平らな表面を有する可能性がある。ホーゼルは、その上の適切な選ばれた場所で、前記上方に面した表面に固定されてもよい。
その実施例のいずれかにおいて、ゴルフ・パターヘッドは、上方に面した表面上に、前記パターヘッドの「スイートスポット」を示すために配置される少なくとも１つの表示（例えば溝、浮彫り線、球状の外形など）を有する可能性がある。この表面は、ガセットが含まれる前記ガセットの上部表面であってもよい。
【００１７】
本発明のゴルフ・パターヘッドは、上方に面した表面上に、前記ボール打撃面に対して垂直な方向を示すために配置および／または向きを定められる少なくとも１つの表示（例えば溝、浮彫り線、球状の外形など）を有する可能性がある。
上に説明された本発明の態様において、ボール打撃面は好ましくは高く打ち上げられないので、前記ボール打撃位置において、第１の平面は垂直である。しかしながら、ボール打撃面は打ち上げられる可能性があるので、パターヘッドがボール打撃位置にある場合、第１の平面は最高１０°、好ましくは５°以下垂直から逸脱する。
発明がよりよく理解されるために、添付の図面に示すように、次に好適な実施例を参照することで非制限的に説明される。
【発明を実施するための最良の形態】
【００１８】
図１から５および９は、この明細書において開示される発明を実施するゴルフ・パターヘッド１を示す。ホーゼル２およびゴルフ・クラブ・シャフト３はまた、その後者で図１から５の想像線において示される。パターヘッド１、ホーゼル２、シャフト３およびシャフト３上のグリップ（図示せず）は、一緒にゴルフ・パター１００を構成する。
パターヘッド１は、平らなボール打撃面４を有し、表面４上の一組の溝５５と共に示される。しかしながら、表面４上の溝の開示は、いかなる形であれ発明の範囲を制限する意図を有しない。一般にゴルフ・クラブ、特にパターは、それらのボール打撃面上の他の溝のパターンまたは他の刻印のパターンによって、または、このような溝または他の刻印を全く有さず、しばしば製造され、その存在、不在またはこのような刻印の性質は、本発明の本質ではない。
【００１９】
表面４は、先端部５から外端部６まで横に延長する。表面４の外端部６から後方に延長しているのは、平らな側面７である。図２、３および５は、パッティングの間、ボールを打つ瞬間（図示せず）の意図を有する配向における表面８より上に僅かに配置されるパターヘッド１を示す。この配向では、ボール打撃面４は垂直の平面９（図３および５に最もよく示される）に存在し、側面７は、垂直の他の平面１０（図２および５に最もよく示される）に存在する。図４に最もよく示されるように、平面９および１０は、互いに直角である。さらに、適切に実行されるパットの意図は、図４の矢印１２で示すように、ボール１１が表面４に対して垂直な方向において前進されるということであるので、側面７は、ボール１１の動きの理想的な方向に対して平行である。
【００２０】
図１‐５で示すパターヘッド１は、パッティングの際、足位置が側面７の方に向く右利きのプレーヤ（図示せず）を意図したものである。しかしながら、反対の利き手のプレーヤのためのパターヘッド（図示せず）もまた、本発明によって作成される可能性があることは、理解されるべきである。
【００２１】
ヘッド１を有するパターの使用において、プレーヤは側面７に向き、従来の方法でパッティングする。側面７は、狙いを定め、パットを実行するのを助けることがわかった。まず、プレーヤは、ターゲット（一般的にパッティング・グリーンの中央の穴）のわずかに左（右利きのプレーヤのため）に狙いを定めるように狙いを定めるガイドとしてある程度側面７（上から端方向に見る）を使用することができる。次に再び、上から端方向に側面７を見ると、彼または彼女は、ボールを実際に打つ間とその後に、彼または彼女のスイングの間の直前、平面１０の範囲内で正確に側面７を動かす試みをすることができる。こうすることにおける成功は、ボール１１が所望の方向に前進することを確実にするはずである。パターヘッド１の重要な効果は、狙いを定めるおよびパッティング・ガイドすなわち側面７が、できる限りプレーヤに近く、したがって、通常のパッティング位置において、彼または彼女の目の下にほとんど近いということである。それゆえに、足の正確な配置がより容易であり、正確なスイングの制御がより容易であると考えられる。
（彼または彼女の足跡２０２が側面２０３に面するように図示されたプレーヤの位置で発明のさらなるパター２００の平面図（すなわち上記から見た図）を示す図１０を参照のこと。シャフト２０５が、側面２０３を含む垂直の平面２０４を通じて実際に通過して、上方および横に延長することに注意する。）
【００２２】
ヘッド１およびパター１００に戻って、ボール打撃面４は第１の板状部材１３の前表面であり、側面７は第２の板状部材１４の表面である。部材１３および１４は、端１５に沿って互いに固定される。部材１３および１４に固定されるのは、それら間の直角の範囲内で位置決めをするプレートのようなガセット１６である。
ホーゼル２はガセット１６の上側表面１７に固定され、シャフト３の下端の転移シャフト１８はホーゼル２に周知の方法で固定される。ホーゼル２は垂直に上方に延長し、転移シャフト１８は、シャフト３がプレーヤ用に適切な角度を有することができるように、湾曲している。位置の範囲は、表面１７上のホーゼル２のために選択される可能性があり、このためにパターヘッド１は、この点でその所有者のために個別に仕立てるようにきわめて役に立つことは明白である。これは、ヘッド１の特定の効果である。異なって構成されたバージョンのシャフト１８も、もちろんまた使われる可能性がある。例えば、図１‐５は、その軸１９が平面９に平行であり、きわめて近くに存在するシャフト３の位置を示す。しかしながら、軸１９が後方に移動するように、ヘッド１の後部の方へさらにホーゼル２を配置することは可能であるので、シャフト３は、完全に平面９およびボール打撃面４の後ろに存在する。
【００２３】
図示はしていないが、ガセット１６の上部表面１７またはそのより低い表面２０が、位置の範囲（図示せず）において、おもりのそれへの取付けのために都合よく使われることができ、特定のプレーヤの要求に仕立てられるヘッド１の潜在性をさらに増加させることは明白である。例えば、ヘッド１のおもり、および、ヘッド１を組み込んでいるクラブの打撃の中央の場所は、変えられる可能性がある。
ガセット１６は、端２１および２２がそれぞれ部材１３および１４に沿って途中まで延長するだけである直角三角形の形であるように示される。しかしながら、それは、その形状または大きさにおいてそれほど制限されない。例えば、端２１および２２は部材１３の先端部５および／または部材１４の最後尾の端部に延長することができる。ガセット１６の端２３は、ヘッド１のおもりおよびその分配を修正するより可能な位置をホーゼル２に提供する、または、取り付けられた調節おもり（図示せず）により可能な位置を提供するため、直線である代わりにさらに外へ延長され（すなわち部材１３および１４の接合からさらに離れて）る。
【００２４】
それにもかかわらず、図に示されるように、ヘッド１の一般に直角三角形の形状は、好ましく、上で開示されるように、パットの改善された狙いおよび実行に追加的な有意な効果を有すると考えられる。具体的には、ヘッド１を組み込んでいるクラブの打撃の「スイートスポット」または中央は、プレーヤにより近い側面上での重さの集中のために、多くの従来のパター設計においてよりも（先端側面に対して）ヘッドの外端部側面により近く、その結果、ボール１１は、パットのアドレスを準備する場合プレーヤにより近くなり、したがって、プレーヤの目の下により近く、そして、より都合よく狙いを定めるように位置決めをされる。さらなる、提供されたヘッドの重さのため、プレーヤによって経験されるその重さのモーメントアームは、従来のヘッドの重さの分配においてクラブのために少なく、多少より軽い感触という結果につながる。ボール打撃面４は、それにもかかわらず通常の幅である。あまりに狭い幅は、中央にボールを打つことにプレーヤが集中するので、躊躇が起こるという心理的効果を導くことができると考えられる。（この効果は、クロケットのマレットのように成形されるヘッドを有するパターを想像することによってよく理解されることができる。このようなクラブは、実際には正確にパットするのが非常に困難であると考えられる。）
【００２５】
図９は、平面図でパターヘッド１を示す図４に類似した図であり、平面図におけるパターヘッド１の一般に三角形の形状の好適な基準を図示する。想像線において、直角三角形７５が示される。ヘッド１のそれぞれボール打撃面および側面４および７と一致するものは、表面４および７が交差する７０で交差する三角形７５の側面７１および７２である。側面７３、三角形７５の斜辺は、平面９および１０と交差する概念上の垂直の平面（真横から見て）を表す。側面７１および７２は、表面４および７の（平面図に示すように）長さのそれぞれ１.１５倍の長さＸおよびＹを有する。乗数１.１５は、好適な値であり、必要であれば多少変化する可能性がある（例えば１．２０まで）。そのボール打撃面および側面４および７が平面９および１０に存在する場合、本発明のパターヘッドは、本質的に、平面図のライン７３を越えて突き出ない、すなわち、位置７０からライン７５の最小距離であり、Ａがｔａｎ‐１（Ｙ／Ｘ）であるＸ  ｓｉｎ  Ａより延長しないことが好ましい。これは、以下に記載するヘッド１、および、ヘッド３０および４０の場合である。
ヘッド１は、多くの方法、および、多くの他のパターヘッドの設計の上の効果を有して製造されるのに役に立つ。例えば、部材１３、１４およびガセット１６は、プレート状であり、プレートの在庫から切断され、溶着または蝋付けによって結合されることができる。代替的に、ヘッド全体は、例えば本当に平坦なボールストローク面を確実にするため、任意に続く機械加工での鋳造またはプレス加工によって作成されることができる。
【００２６】
ガセット１６は、いかなる適切な厚みであってもよく、部材１３および１４と関連するその立向姿勢が便宜のために選択されることができる。例えば、ガセット１６の上側表面１７は、例えば部材１３の上部端２４と同一平面である。ガセット１６の上側表面１７および／または部材１３の上部端の面２４は、必要に応じて、さらなる照準ガイド、および、いわゆる「スイートスポット」の側部の指示部として、表面４に対して垂直な１つまたはそれ以上の溝（または他の刻印）を備える可能性がある。
次に図６を参照すると、ホーゼル３１およびシャフト３２が取り付けられた発明による他のゴルフ・パターヘッド３０が示される。ヘッド３０は、表面３３上の陰３４として示された図面に示される場合、その形状に関して、あたかも平坦表面３３より上に（パッティング位置におけるその高さ以外）配置されるかのように示される。ボール打撃面３５は、側面３６に直角にある。しかしながら、ヘッド１とは異なり、ヘッド３０は単一のブロックとして本質的に作成される。表面３５および３６が平らであることは望ましい一方、第３の表面３７（陰３４の側面３８に対応する）は正確に平らである必要はない。それは、例えば凹状または凸状である可能性がある。ヘッド３０は、少なくとも一部が表面３５および３６に直角であり、ホーゼル３１は、カスタマイズ可能性を提供するため、表面３９上のどこにでも配置されることが可能である上方へ面した表面３９を有する。また表面３９に示されるのは、「スイートスポット」の表面３５の横方向の位置を示し、さらなる照準の補助を提供する溝２９である。他の刻印は、周知のようにもちろん使われる可能性がある。類似したタイプの刻印もまた、ヘッド１のガセット１６に提供されることができる。
【００２７】
図７および８は、本発明のさらに別のパターヘッド４０を示す。これは、ボール打撃面４３および側面４４を提供するため、互いに直角なプレート状の部材４１および４２を有するが、ヘッド１のガセット１６のようなガセットを有しない。その代わりに、構造４５がホーゼル４７をサポートするために部材４１の裏面４６に提供される。カスタマイズ可能性は、例えば、ホーゼル４７およびクラブ・シャフト４９間の転移シャフト４８の適切な範囲のいずれかを適合させる、または、構造４５の比率を変えることによって、ヘッド４０をもつクラブにおいて達成可能である。
【００２８】
本願明細書において説明した、その長さがボール打撃面の外端部から先端までの幅と本質的に等しい側面を有するパターヘッド、および、このような特性を有しているパターは、出願人にとって公知の発明を実施するための最良の形態を表すと考えられる。平面図に示す場合、ヘッドが一般に直角三角形の形状であることがさらに好ましい。
本発明の趣旨または範囲から逸脱することなく、多くの他の変形物が作成される可能性がある。
【図面の簡単な説明】
【００２９】
【図１】発明のゴルフ・パターヘッドの斜視図である。
【図２】図１で示されるゴルフ・パターヘッドの正面図である。
【図３】図１で示されるゴルフ・パターヘッドの側面図である。
【図４】図１で示されるゴルフ・パターヘッドの上記からの平面図である。
【図５】図１で示されるゴルフ・パターヘッドの背面図である。
【図６】発明のさらなるゴルフ・パターヘッドの斜視図である。
【図７】発明のなおさらなるゴルフ・パターヘッドの平面図である。
【図８】図７において示されるゴルフ・パターヘッドの背面図である。
【図９】図１において示されるゴルフ・パターヘッドの追加的な平面図である。
【図１０】ボール打撃位置においてパターを保つ場合のプレーヤの足跡を有する発明のさらなるパターの平面図（上記からの）である。
【図１】
2008500088.tif 000003
【図２】
2008500088.tif 000004
【図３】
2008500088.tif 000005
【図４】
2008500088.tif 000006
【図５】
2008500088.tif 000007
【図６】
2008500088.tif 000008
【図７】
2008500088.tif 000009
【図８】
2008500088.tif 000010
【図９】
2008500088.tif 000011
【図１０】
2008500088.tif 000012
【国際調査報告】
2008500088.tif 000013
2008500088.tif 000014
2008500088.tif 000015